(57)【要約】【課題】故障しにくい押し釦スイッチを備えた電気機器を提供する。【解決手段】外郭を形成する器体７ａと、電気負荷２６を制御する押し釦スイッチ３０とを備え、前記押し釦スイッチ３０は、前記器体７ａに設けた穴８から突出すると共に外部から押し操作される釦９と、前記釦９の根元の全周にわたり水平に張り出して形成されたフランジ１０と、前記フランジ１０の外周上部に垂直に形成され一部に開口１１を設けた案内壁１２を有するもので、器体７ａ内へ進入した水をフランジ１０と案内壁１２の中に溜めて案内壁１２の開口１１からのみ流すことで水の流れる経路が規制できるため、釦９を取り付けた軸９ａを摺動自在に支持する軸支持部１４に水が到達するのを防止することができる。【選択図】図１
2007188760.tif 000002
【特許請求の範囲】
【請求項１】
外郭を形成する器体と、電気負荷を制御する押し釦スイッチとを備え、前記押し釦スイッチは、前記器体に設けた穴から突出すると共に外部から押し操作される釦と、前記釦の根元の全周にわたり水平に張り出して形成されたフランジと、前記フランジの外周上部に垂直に形成され一部に開口を設けた案内壁を有する電気機器。
【請求項２】
器体の穴の周囲の内面に、環状リブを垂下形成し、前記環状リブを、案内壁の内側に位置させた請求項１に記載の電気機器。
【請求項３】
少なくとも釦のストロークの下死点で、環状リブと案内壁が垂直方向でオーバーラップするようにした請求項２に記載の電気機器。
【請求項４】
案内壁の開口が低くなるようにフランジを傾斜させた請求項１〜３のいずれか１項に記載の電気機器。
【請求項５】
開口に連なるフランジおよび案内壁を延長した延長部を有する請求項１〜４のいずれかに１項に記載の電気機器。
【発明の詳細な説明】
【技術分野】
【０００１】
本発明は、家庭等で使用される調理器等の電気機器に関するもので、特に電気機器に使用される押し釦スイッチの防水構成に関するものである。
【背景技術】
【０００２】
従来の電気機器に使用される押し釦スイッチは、釦の根元全周に、水平に張り出したフランジを設けて、押し釦スイッチが取り付けられた器体の穴と釦の隙間から器体内へ水などの異物が浸入しにくいように構成している（例えば、特許文献１参照）。
【０００３】
図４は、上記特許文献１に開示された従来の電気機器の押し釦スイッチの例を示すもので、釦１の根元全周に、水平に張り出したフランジ２を設け、そのフランジ２で、電気機器の器体３の穴と釦１の間の隙間４から、器体３内へ水などが浸入しにくいようにしていた。
【特許文献１】実公昭６２−４５６２４号公報
【発明の開示】
【発明が解決しようとする課題】
【０００４】
しかしながら、前記従来の電気機器の押し釦スイッチの構成によると、釦１が取り付けられている軸５を摺動自在に支持する軸支持部６に、器体３内に進入した水の一部が到達する場合があり、それによって、軸５の動作が円滑でなくなったり、また軸支持部６からさらに押し釦スイッチの内部に水が浸入して電気機器が故障するという課題があった。
【０００５】
本発明は、前記従来の課題を解決するもので、器体内へ進入した水が軸支持部に到達するのを防止して故障しにくい電気機器を提供することを目的とする。
【課題を解決するための手段】
【０００６】
前記従来の課題を解決するために、本発明の電気機器は、外郭を形成する器体と、電気負荷を制御する押し釦スイッチとを備え、前記押し釦スイッチは、前記器体に設けた穴から突出すると共に外部から押し操作される釦と、前記釦の根元の全周にわたり水平に張り出して形成されたフランジと、前記フランジの外周上部に垂直に形成され一部に開口を設けた案内壁を有するもので、器体内へ進入した水をフランジと案内壁の中に溜めて案内壁の開口からのみ流すことで水の流れる経路が規制できるため、釦を取り付けた軸を摺動自在に支持する軸支持部に水が到達するのを防止することができる。
【発明の効果】
【０００７】
本発明の電気機器は、器体内へ進入した水を、押し釦スイッチのフランジと案内壁の中に溜めて、案内壁の開口からのみ流すことで水の流れる経路が規制できるため、押し釦スイッチの釦の軸を支持する軸支持部に水が到達するのを防止することができる。
【発明を実施するための最良の形態】
【０００８】
第１の発明は、外郭を形成する器体と、電気負荷を制御する押し釦スイッチとを備え、前記押し釦スイッチは、前記器体に設けた穴から突出すると共に外部から押し操作される釦と、前記釦の根元の全周にわたり水平に張り出して形成されたフランジと、前記フランジの外周上部に垂直に形成され一部に開口を設けた案内壁を有するもので、器体内へ進入した水をフランジと案内壁の中に溜めて案内壁の開口からのみ流すことで水の流れる経路が規制できるため、釦を取り付けた軸を摺動自在に支持する軸支持部に水が到達するのを防止することができる。
【０００９】
第２の発明は、特に、第１の発明の器体の穴の周囲の内面に、環状リブを垂下形成し、前記環状リブを、案内壁の内側に位置させたもので、器体の穴と釦の隙間から器体内へ水が勢いよく浸入した場合にでも環状リブにより案内壁に達する前に水の勢いが弱められ水が案内壁をのり越えにくくして釦の軸支持部に水が浸入しないようにすることができる。
【００１０】
第３の発明は、特に、第２の発明の少なくとも釦のストロークの下死点で、環状リブと案内壁が垂直方向でオーバーラップするようにしたもので、器体の穴と釦の隙間から器体内へ水が勢いよく浸入した場合にでも、案内壁にオーバーラップさせた環状リブにより水の勢いが弱められ、水が案内壁をのり越えないようになるので、釦の軸支持部に水が浸入しないようにすることができる。
【００１１】
第４の発明は、特に、第１〜３のいずれかの一つの発明の案内壁の開口が低くなるようにフランジを傾斜させたもので、フランジと案内壁の中に溜めた水を早く案内壁の開口から流すことができる。
【００１２】
第５の発明は、特に、第１〜４のいずれかの一つの発明の開口に連なるフランジおよび案内壁を延長した延長部を有するもので、フランジと案内壁の中に溜めた水を、釦の軸支持部からより遠い位置で案内壁の開口から排水し釦の軸支持部に水が浸入しないようにすることができる。
【００１３】
以下、本発明の実施の形態について、図面を参照しながら説明する。なお、この実施の形態によって本発明が限定されるものではない。
【００１４】
（実施の形態１）
図１（ａ）は、本発明の実施の形態１における電気機器の断面図（「切」状態）、（ｂ）は、同電気機器の押し釦スイッチの平面図、図２（ａ）は、同電気機器の要部断面図（「入」状態）、（ｂ）は、同押し釦スイッチの平面図である。
【００１５】
図１、図２において、７は、本実施の形態における電気機器で、外郭を形成すると共に穴８を有する器体７ａと、外部から押し操作される釦９を有する押し釦スイッチ３０と、押し釦スイッチ３０によって制御される電気負荷２６を備えている。
【００１６】
押し釦スイッチ３０は、器体７ａに設けた穴８から、釦９の先端が突出するように器体７ａに取り付けられている。釦９の根元全周には水平に張り出したフランジ１０を設けると共に、このフランジ１０の外周上部に開口１１を有する垂直な案内壁１２を設けている。
【００１７】
器体７に設けた穴８の周囲の内面には、垂直な環状リブ１３が設けられ、この環状リブ１３は、押し釦スイッチ３０に設けた案内壁１２の内側に配置している。そして、釦９のストロークの下死点において環状リブ１３と案内壁１２が垂直方向にオーバーラップさせている。
【００１８】
以上のように、本実施の形態によれば、穴８と釦９の隙間から器体７内へ進入した水をフランジ１０と案内壁１２の中に溜めて、案内壁１２の開口１１から、釦９が取り付けられた軸９ａを摺動自在に支持する軸支持部１４にかからないところから排水するようにしているので、軸支持部１４に水が到達するのを防止することができる。また、万一、水などの液体が勢いよく浸入した場合にでも、案内壁１２にオーバーラップさせた環状リブ１３により案内壁１２に達する前に水の勢いが弱められるので、水が案内壁１２をのり越え釦９の軸支持部１４に浸入することが無く、故障しにくい電気機器を提供することできる。
【００１９】
（実施の形態２）
図３（ａ）は、本発明の実施の形態２における電気機器の要部断面図、（ｂ）は、同電気機器の押し釦スイッチの平面図である。なお、上記第１の実施の形態における電気機器と同一部分について同一符号を付してその説明を省略する。
【００２０】
図３において、電気機器１５は、外郭を形成すると共に穴１６を有する器体１５ａと、外部から押し操作される釦１７を有する押し釦スイッチ３１と、押し釦スイッチ３１によって制御される電気負荷２６（図３では、省略）を備えている。押し釦スイッチ３１は、器体１５ａに設けた穴１６から、釦１７の先端が突出するように器体１５ａに取り付けられている。
【００２１】
釦１７の根元全周には、フランジ１８が設けられ、このフランジ１８の外周上部に、垂直で一部に開口２０を有する案内壁１９を設けている。
【００２２】
フランジ１８および案内壁１９は、開口２０に向けて延長した延長部２１を有しており、さらにフランジ１８は、開口２０に向けて徐々に低くなるように傾斜させている。
【００２３】
以上のように、本実施の形態によれば、フランジ１８と案内壁１９の中に溜めた水を、フランジ１８の傾斜によって早く開口２０に流せるとともに、釦１７が取り付けられた軸２３を支持する軸支持部２２からより遠い位置に排水して、釦１７の軸支持部２２に水が浸入しないようにした故障しにくい電気機器を提供することができる。
【産業上の利用可能性】
【００２４】
以上のように本発明にかかる電気機器は、器体内に水などの液体が侵入しても押し釦スイッチの軸支持部に液体が到達しにくく、故障しにくいもので、ミキサーやジューサーなど水を使用する各種電気機器に適用できる。
【図面の簡単な説明】
【００２５】
【図１】（ａ）本発明の実施の形態１における電気機器の断面図（「切」状態）（ｂ）同電気機器の押し釦スイッチの平面図
【図２】（ａ）同電気機器の要部断面図（「切」状態）（ｂ）同押し釦スイッチの平面図
【図３】（ａ）本発明の実施の形態２における電気機器の要部断面図（ｂ）同電気機器の押し釦スイッチの平面図
【図４】従来の電気機器の要部断面図
【符号の説明】
【００２６】
７、１５  電気機器
７ａ、１５ａ  器体
９、１７  釦
９ａ、２３  軸
１０、１８  フランジ
１１、２０  開口
１２、１９  案内壁
１３  環状リブ
１４、２２  軸支持部
２１  延長部
３０、３１  押し釦スイッチ
【図１】
2007188760.tif 000003
【図２】
2007188760.tif 000004
【図３】
2007188760.tif 000005
【図４】
2007188760.tif 000006